(57)【特許請求の範囲】
【請求項１】
光ディスクに記録された情報を読取るピックアップ部と、
前記ピックアップ部により読取られた情報に含まれるビデオ管理情報を用いて前記光ディスクの本編のタイトルをサーチする本編サーチ部と、
前記光ディスクに記録されたコンテンツを前記ビデオ管理情報に従った手順で再生する第１のモード、又は前記本編サーチ部によるサーチ結果を基にして本編再生を行う第２のモードとで再生する再生処理部と、
前記第２のモードで前記本編を再生する際に、前記本編タイトルのサーチから前記本編の再生が開始されるまでの間に前記本編以外のタイトルへの移動を指示するナビゲーションコマンドが検出された場合は、前記移動指示を回避して再生処理を行うように前記再生処理部を制御する制御部と、を具備したことを特徴とするディスク再生装置。
【請求項２】
前記本編以外のタイトルへの移動を指示するナビゲーションコマンドは、他のタイトルへのリンク又はジャンプを指示するコマンド（ＣＭＤ＿ＬＩＮＫ系、ＣＭＤ＿ＬＩＮＫＳＩＮＳ系、ＣＭＤ＿ＪＵＭＰ系）を含むことを特徴とする請求項１記載のディスク再生装置。
【請求項３】
ユーザ操作が可能な操作部を有し、ユーザの選択操作により前記第１又は第２のモードでの再生処理を選択可能にしたことを特徴とする請求項１記載のディスク再生装置。
【請求項４】
前記本編サーチ部は、前記光ディスクに記録されているコンテンツのタイトル及び各タイトルのチャプタ数を検出し、検出した前記各タイトルのチャプタ数及びタイトル数を基に本編を判別することを特徴とする請求項１記載のディスク再生装置。
【請求項５】
光ディスクに記録された情報を読取るピックアップ部と、
前記ピックアップ部により読取られた情報に含まれるビデオ管理情報を用いて前記光ディスクの本編のタイトルをサーチする本編サーチ部と、
前記光ディスクに記録されたコンテンツを前記ビデオ管理情報に従った手順で再生する第１のモード、又は前記本編サーチ部によるサーチ結果を基にして本編再生を行う第２のモードとで再生する再生処理部と、
前記第２のモードで前記本編を再生する際に、前記本編の再生開始から再生終了の間に前記本編以外のタイトルへの移動を指示するナビゲーションコマンドが検出された場合は、前記移動指示を回避して再生処理を行うように前記再生処理部を制御する制御部と、を具備したことを特徴とするディスク再生装置。
【請求項６】
光ディスクに記録された情報をピックアップ部で読取り、
前記ピックアップ部により読取られた情報に含まれるビデオ管理情報を用いて前記光ディスクの本編のタイトルをサーチし、
前記光ディスクに記録されたコンテンツを前記ビデオ管理情報に従った手順で再生する第１のモード、又は前記サーチ結果を基にして本編再生を行う第２のモードとで再生処理し、
前記第２のモードで前記本編を再生する際に、前記本編タイトルのサーチから前記本編の再生が開始されるまでの間に前記本編以外のタイトルへの移動を指示するナビゲーションコマンドが検出された場合は、前記移動指示を回避して再生処理を行うことを特徴とするディスク再生方法。
【請求項７】
前記本編以外のタイトルへの移動を指示するナビゲーションコマンドが検出された場合は、該ナビゲーションコマンドによる処理は満たしたものとして前記指示を回避し、他のナビゲーションコマンドの指示を実行することを特徴とする請求項６記載のディスク再生方法。
【請求項８】
前記本編以外のタイトルへの移動を指示するナビゲーションコマンドが、他のタイトルへのリンク又はジャンプを指示するコマンド（ＣＭＤ＿ＬＩＮＫ系、ＣＭＤ＿ＬＩＮＫＳＩＮＳ系、ＣＭＤ＿ＪＵＭＰ系）を含むときは、該ナビゲーションコマンドによる指示を回避して再生処理を行うことを特徴とする請求項６記載のディスク再生方法。
【請求項９】
前記第２のモードは、ユーザ操作によって選択可能であることを特徴とする請求項６記載のディスク再生方法。
【請求項１０】
光ディスクに記録された情報をピックアップ部で読取り、
前記ピックアップ部により読取られた情報に含まれるビデオ管理情報を用いて前記光ディスクの本編のタイトルをサーチし、
前記光ディスクに記録されたコンテンツを前記ビデオ管理情報に従った手順で再生する第１のモード、又は前記サーチ結果を基にして本編再生を行う第２のモードとで再生処理し、
前記第２のモードで前記本編を再生する際に、前記本編の再生開始から再生終了の間に前記本編以外のタイトルへの移動を指示するナビゲーションコマンドが検出された場合は、前記移動指示を回避して再生処理を行うことを特徴とするディスク再生方法。
【発明の詳細な説明】
【技術分野】
【０００１】
本発明は、光ディスクであるＤＶＤ（Digital Versatile Disk）に記録された情報を再生するディスク再生装置に係り、特に本編サーチを行って本編の再生を行う時に、スムーズに再生処理が行えるようにしたディスク再生装置及びディスク再生方法に関する。
【背景技術】
【０００２】
近年、ＤＶＤ−Ｖｉｄｅｏ規格に準拠した光ディスク（ＤＶＤ）に対して音声信号や映像信号等の情報を記録し、それを再生するディスク再生装置が普及している。またＤＶＤ（例えば映画用ディスク）は、通常、本編のコンテンツに対して１つのタイトルを付し、１つのタイトルを複数のチャプタに区切っている。
【０００３】
また映画用ディスクには、本編以外にセットアップ画面、メニュー画面、コマーシャル画面等も含まれている。またＤＶＤ−Ｖｉｄｅｏの普及に伴い、多くのディスクが特典映像等を充実させて記録する傾向にある。さらにディスク再生装置は、家庭用だけでなく車載用にも採用されており、その使用環境は様々である。
【０００４】
また、このようなＤＶＤを再生する場合、ディスク再生装置は、ＤＶＤに記録されたファイル構造情報に基いて、予め指定された再生手順に従って再生するようにしている。
【０００５】
例えば、メニュー画面の情報がＤＶＤに記録されていればメニュー画面を表示して、ユーザに複数のメニュー項目の中から希望する項目を選択させ、次の画面に移るようにしている。また、コマーシャル画面や、著作権に関するお知らせ画面等が表示される場合もあり、再生操作後、本編が再生されるまでに多くの手間と時間がかかる場合がある。
【０００６】
また、ＤＶＤには本編を示す情報が記録されていないため、複数のタイトルを含むＤＶＤでは、どれが本編のコンテンツであるかを検出することは難しい状況にあり、本編を簡単な操作で直ぐに再生することは困難であった。
【０００７】
特に、車載用のディスク再生装置では、不慣れなユーザ（例えば子供）が操作する場合があり、運転者が操作手順を教えながら運転すると安全上好ましくない。したがって、簡単な操作で本編の再生ができるようにしたディスク再生装置の実現を望むユーザも多い。
【０００８】
特許文献１には、本編サーチ機能を備え、再生操作後、本編が再生開始されるまでの時間を短縮したディスク再生装置について記載されている。この特許文献１の例では、タイトル数検出手段と、再生時間検出手段を設け、最も再生時間が長いタイトルを本編として検出し、再生を実行するようにしている。
【０００９】
しかしながら、本編を検出して再生を行う場合であっても、ＤＶＤに記録されているナビゲーションコマンド(Navigation Command)によっては、別のタイトルへ移動して再生が実行される場合があり、ユーザの意図したタイトル以外のコンテンツが再生されることがあった。
【特許文献１】特開２００５−８６７１７号公報
【発明の開示】
【発明が解決しようとする課題】
【００１０】
特許文献１のディスク再生装置では、本編サーチ機能を備えることにより、簡単な操作で本編を再生することが可能であるが、ＤＶＤに記録されているナビゲーションコマンドによって、ユーザの意図したタイトルとは別のコンテンツが再生されることがあった。
【００１１】
本発明は、このような事情に鑑みて成されたもので、簡単な操作で本編の再生を開始でき、かつ本編サーチモードにおいては、本編以外のコンテンツが再生されるのを防止したディスク再生装置及びディスク再生方法を提供することを目的とする。
【課題を解決するための手段】
【００１２】
請求項１記載の本発明のディスク再生装置は、光ディスクに記録された情報を読取るピックアップ部と、前記ピックアップ部により読取られた情報に含まれるビデオ管理情報を用いて前記光ディスクの本編のタイトルをサーチする本編サーチ部と、前記光ディスクに記録されたコンテンツを前記ビデオ管理情報に従った手順で再生する第１のモード、又は前記本編サーチ部によるサーチ結果を基にして本編再生を行う第２のモードとで再生する再生処理部と、前記第２のモードで前記本編を再生する際に、前記本編タイトルのサーチから前記本編の再生が開始されるまでの間に前記本編以外のタイトルへの移動を指示するナビゲーションコマンドが検出された場合は、前記移動指示を回避して再生処理を行うように前記再生処理部を制御する制御部と、を具備したことを特徴とする。
【００１３】
請求項５記載の本発明のディスク再生装置は、光ディスクに記録された情報を読取るピックアップ部と、前記ピックアップ部により読取られた情報に含まれるビデオ管理情報を用いて前記光ディスクの本編のタイトルをサーチする本編サーチ部と、前記光ディスクに記録されたコンテンツを前記ビデオ管理情報に従った手順で再生する第１のモード、又は前記本編サーチ部によるサーチ結果を基にして本編再生を行う第２のモードとで再生する再生処理部と、前記第２のモードで前記本編を再生する際に、前記本編の再生開始から再生終了の間に前記本編以外のタイトルへの移動を指示するナビゲーションコマンドが検出された場合は、前記移動指示を回避して再生処理を行うように前記再生処理部を制御する制御部と、を具備したことを特徴とする。
を特徴とする
【００１４】
また、請求項６記載の本発明のディスク再生方法は、光ディスクに記録された情報をピックアップ部で読取り、前記ピックアップ部により読取られた情報に含まれるビデオ管理情報を用いて前記光ディスクの本編のタイトルをサーチし、前記光ディスクに記録されたコンテンツを前記ビデオ管理情報に従った手順で再生する第１のモード、又は前記サーチ結果を基にして本編再生を行う第２のモードとで再生処理し、前記第２のモードで前記本編を再生する際に、前記本編タイトルのサーチから前記本編の再生が開始されるまでの間に前記本編以外のタイトルへの移動を指示するナビゲーションコマンドが検出された場合は、前記移動指示を回避して再生処理を行うことを特徴とするディスク再生方法。
を特徴とする。
【００１５】
さらに、請求項１０記載の本発明のディスク再生方法は、光ディスクに記録された情報をピックアップ部で読取り、前記ピックアップ部により読取られた情報に含まれるビデオ管理情報を用いて前記光ディスクの本編のタイトルをサーチし、前記光ディスクに記録されたコンテンツを前記ビデオ管理情報に従った手順で再生する第１のモード、又は前記サーチ結果を基にして本編再生を行う第２のモードとで再生処理し、前記第２のモードで前記本編を再生する際に、前記本編の再生開始から再生終了の間に前記本編以外のタイトルへの移動を指示するナビゲーションコマンドが検出された場合は、前記移動指示を回避して再生処理を行うことを特徴とする。
【発明の効果】
【００１６】
本発明のディスク再生装置では、本編サーチ機能により、簡単な操作によって本編の再生が可能となる。また本編サーチによる再生モードにおいては、サーチした本編のコンテンツを支障なく正確に再生することができる。
【発明を実施するための最良の形態】
【００１７】
以下、この発明のディスク再生装置の一実施形態について図面を参照して説明する。
【実施例１】
【００１８】
図１は本発明のディスク再生装置１００の全体構成を示すブロック図である。図１において、１１は光ディスクであるＤＶＤ（以下、単にディスク１１と呼ぶ）であり、ＤＶＤ−Ｖｉｄｅｏ規格に準拠してデータが記録されている。データの階層構造は、後述する。
【００１９】
ディスク１１は、スピンドルモータ１２によって一定の線速度で回転される。ディスク１１からの情報の再生は、光ピックアップ１３によって行われ、ディスク１１にレーザ光を照射し、その反射光によってディスク１１に記録されているデータを読み出す。
【００２０】
光ピックアップ１３は、送りモータ１４によってディスク１１の半径方向に移動制御され、再生位置を決定する。１５はサーボ制御部であり、後述するシステムコントローラ３０等から供給される制御信号に応じて、スピンドルモータ１２の回転を制御するとともに、光ピックアップ１３のトラッキング制御、フォーカス制御、及び送りモータ１４の駆動制御を行う。
【００２１】
１６はＲＦアンプであり、光ピックアップ１３によって読み出したデータに対応するＲＦ信号を増幅して次段に伝達する。又、このＲＦアンプ１６は、ＲＦ信号からフォーカス制御用の信号及びトラッキング制御用の信号を分離して、これらの制御信号をサーボ制御部１５に送る。
【００２２】
サーボ制御部１５は、フォーカス制御用の信号に基づいて光ピックアップ１３のアクチュエータ(図示せず)を制御し、光ビームが、ディスク１１上に常時ジャストフォーカスとなるように制御する。また、トラッキング制御用の信号に基づいてアクチュエータを制御し、光ピックアップ１３のトラッキング方向の移動を制御する。これにより、データの再生を正確に行うようにしている。
【００２３】
１７はデジタル信号処理部であり、ＲＦアンプ１６からのＲＦ信号をデジタル化し、デジタル化された信号の復調処理と誤り訂正処理を行い、デジタル信号処理部１７による信号処理の過程で得られたデータをＲＡＭ１８に格納する。またデジタル信号から制御信号が分離され、分離された制御信号がサーボ制御部１５及び後述するシステムコントローラ３０に送られる。
【００２４】
１９はストリーム分離部であり、デジタル信号処理部１７から出力された信号を、オーディオビットストリーム、メインピクチャビットストリーム及びサブピクチャビットストリームに分離し、オーディオ・ビデオ処理部２０に供給する。メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報等が含まれる。
【００２５】
２１は、オーディオデコーダであり、ストリーム分離部１９で分離されたオーディオビットストリームを復号化処理して、デジタルオーディオ信号を出力する。オーディオデコーダ２１から出力されたデジタルオーディオ信号は、Ｄ／Ａ変換器２２によってアナログオーディオ信号に変換され、アナログオーディオ信号は、パワーアンプ（図示せず）を介してスピーカ２３から出力される。
【００２６】
２４はビデオデコーダであり、ストリーム分離部１９で分離されたメインピクチャビットストリームを復号化処理する。２５はサブピクチャデコーダであり、ストリーム分離部１９で分離されたサブピクチャビットストリームを復号化処理する。また２６はビデオプロセッサであり、ビデオデコーダ２４から出力されたメインピクチャと、サブピクチャデコーダ２５から出力されたサブピクチャをデジタル合成する。
【００２７】
２７はビデオエンコーダであり、ビデオプロセッサ２６から出力された合成データを表示用のビデオ信号に変換する。このビデオエンコーダ２７から出力されたビデオ信号は、液晶パネルなどのディスプレイ装置２８に供給され、画像が表示される。
【００２８】
２９は、リモートコントローラ等の操作部であり、再生、停止、早送り、ボリューム設定などの各種操作を行う複数の操作ボタンを有している。操作部２９は、ユーザが希望する音声・字幕情報を初期設定したり、ディスク再生装置１００からの問い合わせに応答して音声・字幕情報の設定変更を指示したり、またディスプレイ装置２８に表示されるメニュー画面中のカーソルを移動して各種の選択を行ったりする際にも使用される。またディスク１１に記録されたタイトルやチャプタ等の選択設定を行うこともできる。
【００２９】
システムコントローラ３０は、ＣＰＵ及びＲＯＭ等を含み、ＲＯＭに格納されたプログラムに従ってディスク再生装置１００の全体的な動作を制御するものである。システムコントローラ３０は、操作部２９からの各種の指示信号、デジタル信号処理部１７からの信号及びストリーム分離部１９からの信号を受けて、サーボ制御部１５、デジタル信号処理部１７、ストリーム分離部１９及びビデオプロセッサ２６を制御する。またシステムコントローラ３０には、ＲＡＭ３１が接続され、システムコントローラ３０の制御のもとに行われる各種の処理によって得られるデータを一時的に格納する。
【００３０】
本発明のディスク再生装置１００では、本編サーチ機能を備えるとともに、本編サーチによる再生モードにあっては、別のタイトルへ移動して再生することを禁止するため、ナビゲーションコマンドの種類を判別し、他のタイトルへの移動を指示するナビゲーションコマンドは実行しないようにした点に特徴がある。
【００３１】
ＤＶＤ−Ｖｉｄｅｏ規格においては、メニュー画面や各タイトル等の再生シーケンスは、１以上のプログラムチェインＰＧＣによって規定されており、ＰＧＣの構成を定義するためプログラムチェイン情報ＰＧＣＩが記録されている。
【００３２】
図２は、プログラムチェインＰＧＣにおけるプログラムチェイン情報ＰＧＣＩを説明する図である。ＰＧＣＩには複数のプログラムＰＧと、ＰＧＣ再生開始時に実行すべきコマンドＰＲＥ＿ＣＭＤ、ＰＧＣ終了時に実行すべきコマンドＰＯＳＴ＿ＣＭＤや、次に実行すべきＰＧＣＩの記述Ｎｅｘｔ＿ＰＧＣＮを含み、ＰＧＣＩによってプログラムＰＧの再生順序が定義される。
【００３３】
また、各プログラムＰＧにはナビゲーションコマンド（Navigation Command：以下、ＮＣと称す）が記録されており、このナビゲーションコマンドＮＣに従ってデータが再生されるようになっている。
【００３４】
また、ディスク１１には、ディスク１１の再生開始時に最初に再生すべきＰＧＣの記述ＦＰ＿ＰＧＣＩと、タイトル全体の再生を制御するためのＰＧＣＩであるＶＭＧＭ＿ＰＧＣＩが記録されており、ＦＰ＿ＰＧＣＩによって、再生開始時の再生シーケンスが規定されている。
【００３５】
図３は、ディスク１１の再生手順の一例を示した図である。図３において、Ｔ１，Ｔ２，Ｔ３，Ｔ４・・・はタイトルを表し、例えばタイトルＴ１は、本編映像であり、Ｔ２はメニュー映像、Ｔ３はコマーシャル映像、Ｔ４は特典映像を表している。各タイトルは、複数のチャプタで構成されている。
【００３６】
図３では、ＦＰ＿ＰＧＣＩによって、最初にコマーシャル映像が再生される例を示している。また、コマーシャル映像が再生されたあとは、メニュー画面の表示に切り替わり、次に本編が再生される例を示している。このような再生シーケンスは、ＰＧＣＩによってそれぞれ規定され、またナビゲーションコマンドＮＣに従ってデータの再生が行われる。
【００３７】
図４は、この発明の一実施形態に係るディスク再生装置１００で利用されるディスク１１のデータ階層構造を説明する図である。
【００３８】
ディスク１１に記録されるデータの階層構造は、ＤＶＤ−Ｖｉｄｅｏ規格に準拠して定められており、ディスク１１の内周側にリードインエリアが設けられ、外周側にリードアウトエリアが設けられ、その間にＤＶＤビデオエリアを含むボリュームスペースが設けられている。
【００３９】
ＤＶＤビデオエリアには、図４に示すように、管理情報であるビデオマネージャＶＭＧと、コンテンツ情報である１以上のビデオタイトルセットＶＴＳ＃１〜ＶＴＳ＃ｎを含んでいる。
【００４０】
管理情報ＶＭＧは、ビデオマネージャ情報ＶＭＧＩ、ビデオマネージャメニュー用ビデオオブジェクトセットＶＭＧＭ＿ＶＯＢＳ、及びＶＭＧＩのバックアップＶＭＧＩ＿ＢＵＰで構成される。
【００４１】
また、ビデオ管理情報であるＶＭＧＩは、タイトルサーチポインタテーブルＴＴ＿ＳＲＰＴ、前述したＦＰ＿ＰＧＣＩ及びＶＭＧＭ＿ＰＧＣＩ等を含んでいる。ＶＭＧＩに含まれるＴＴ＿ＳＲＰＴは、１以上のタイトルサーチポインタＴＴ＿ＳＲＰを含んでいる。タイトルサーチポインタＴＴ＿ＳＲＰは、タイトル１用〜タイトルｎ用のタイトルサーチポインタでなる。
【００４２】
またそれぞれのＴＴ＿ＳＲＰは、該当タイトルの再生形式ＴＴ＿ＰＢ＿ＴＹ（図示せず）や、パートオブタイトル数（チャプタ数を表すデータ）ＰＴＴ＿Ｎｓ等を含んでいる。したがって、ＶＭＧＩに含まれる情報を検出することで、ディスク１１に記録されているタイトル、タイトルの数、タイトル毎のチャプタ数を検出することができる。
【００４３】
一方、個々のビデオタイトルセット（例えばＶＴＳ＃ｎ）のファイルは、そのタイトルの管理情報であるビデオタイトルセット情報ＶＴＳＩ、ビデオタイトルセットメニュー用ビデオオブジェクトセットＶＴＳＭ＿ＶＯＢＳ、ビデオタイトルセットタイトル用のビデオオブジェクトセットＶＴＳＴＴ＿ＶＯＢＳ（ビデオコンテンツ）、及びＶＴＳＩのバックアップＶＴＳＩ＿ＢＵＰで構成される。
【００４４】
各ビデオタイトルセットＶＴＳには、ＭＰＥＧ規格により圧縮されたビデオデータ、所定の規格により圧縮された（あるいは非圧縮の）オーディオデータ、及び所定の規則によりランレングス圧縮された副映像データとともに、これらのデータを再生するための種々の情報が格納されている。
【００４５】
また管理情報ＶＴＳＩは、ビデオタイトルセットプログラムチェイン情報テーブルＶＴＳ＿ＰＧＣＩＴ等を含んでいる。ＶＴＳ＿ＰＧＣＩＴは、１以上のビデオタイトルセットプログラムチェイン情報ＶＴＳ＿ＰＧＣＩ等を含んでいる。ＶＴＳ＿ＰＧＣＩは、タイトル再生開始時に最初に再生すべき記述である。
【００４６】
またＶＴＳＴＴ＿ＶＯＢＳは、複数のビデオ・オブジェクト・アイデンティフィケーション・ナンバー（ＶＯＢ＿ＩＤＮ）によって構成されており、ＶＯＢ＿ＩＤＮに含まれるデータの階層構造は、複数のＣｅｌｌによって構成されている。ＶＴＳＴＴ＿ＶＯＢＳの内容（ビデオコンテンツ）は、１以上のセルを指し示すビデオオブジェクト（ＶＯＢ＿ＩＤＮ＃１、ＶＯＢ＿ＩＤＮ＃２、…、ＶＯＢ＿ＩＤＮ＃ｉ）により特定され、これらのＶＯＢ＿ＩＤＮ＃で示されるＣｅｌｌの再生順序が、ＰＧＣにより定められる。
【００４７】
Ｃｅｌｌは、複数のビデオ・オブジェクト・ユニットＶＯＢＵから構成されており、ＶＯＢＵは、ナビゲーション・パックＮＶ＿ＰＣＫ、オーディオ・パックＡ＿ＰＣＫ、ビデオ・パックＶ＿ＰＣＫ、サブピクチャ・パックＳＰ＿ＰＣＫによって構成されているが、図示は省略する。
【００４８】
次に、本発明のディスク再生装置における本編サーチについて説明する。本編サーチは、本編の検出確率を高めるため、例えばディスク１１に記録されたタイトルの総数と各タイトルのチャプタ数を基に本編を判断するようにしている。
【００４９】
尚、本編の判断処理は、デジタル信号処理部１７及びストリーム分離部１９から分離抽出した各種の情報を基にシステムコントローラ３０内の本編サーチ部３００が行う。
【００５０】
本編サーチ部３００は、例えば以下のようにして本編のサーチを行う。即ち、ディスク１１に記録されているタイトルの総数が１つであるか否かを判断し、タイトル数が１である場合は、検出したタイトル１のコンテンツが本編であると判断する。
【００５１】
タイトル総数が１以上であった場合は、タイトルのチャプタ数とタイトル総数を基に本編の判断を行う。例えば、検出した複数のタイトルについてそれぞれのチャプタ数を検出し、チャプタ数が多すぎるコンテンツは特典映像である可能性が高いため、チャプタ数が所定の範囲内にあるかタイトルを検出する。
【００５２】
また、タイトル総数が所定値以下かを判断し、タイトル総数が所定の値以下であれば最初のタイトル（タイトル１）を本編と判断する。これは、タイトル数が少ないディスクは最初のタイトルが本編である可能性が高いためである。
【００５３】
またその他に、チャプタ総数が所定の範囲内にあるタイトルを検出し、それらの中で最大のチャプタ数を有するタイトルを本編と判断しても良い。いずれにしろ、チャプタ数やタイトル数を基に本編を判断することができる。また特許文献１に記載した例であっても良い。
【００５４】
尚、本発明のディスク再生装置においては、本編サーチ部３００によるサーチ結果を利用したモードで再生するか、通常のモードで再生（予め指定された再生手順に従った再生）を行うかは、ユーザの操作に委ねられる。例えば、本編サーチの設定は、操作部２９を操作してディスプレイ装置２８にセットアップ画面を表示し、キー操作することで行う。
【００５５】
図５は、ディスプレイ装置２８にセットアップ画面３２を表示し、ユーザが操作部２９のキーを操作することで各種の設定を行う例を示している。例えば本編サーチの項目３３にカーソルを移動し、「ＯＮ」３４を選択すれば本編サーチによる再生モードとなる。また「ＯＦＦ」３５を選択すれば本編サーチをオフとし、通常の再生モードとなる。
【００５６】
したがって、ディスク１１の再生に際して、ユーザ操作に基づいて本編サーチによる再生モードが選択された場合は、面倒な手順を省略して直ぐに本編の再生が可能となる。特に、特典映像の多いディスクの再生や、車載用のディスク再生装置のように簡単操作が要求される場合には有効である。また、通常モードに設定した場合は、ディスク１１に記録された情報を基に予め指定された再生手順に従った再生が可能となる。
【００５７】
その一方で、本編サーチによる再生モードにおいては、ナビゲーションコマンドＮＣによって、ユーザが希望しない再生が行われることがある。これを、図６を参照して説明する。
【００５８】
図６は、本編サーチにより本編のタイトルが検出され、本編の再生モードに入ったときの動作を示す図である。本編サーチを利用して本編の再生が開始されると、ナビゲーションコマンドＮＣ（Pre Command）が実行され、通常は矢印ａ１で示すように本編内のチャプタ再生に遷移する。また本編の再生が終了すれば、ナビゲーションコマンドＮＣ（Post Command）によって、次のタイトルが再生される。
【００５９】
一方、ナビゲーションコマンドＮＣの中には、他のタイトルへの移動を指示するコマンドも含まれることがあり、そのようなナビゲーションコマンドＮＣを検出した場合は、点線ｂ１で示すように、他のタイトルに移動（寄り道）して再生が行われ、その後本編に遷移するようになる。このため、本編再生モードに設定したにも拘わらず、他のタイトルが再生されてしまうため、本編サーチ機能が十分に発揮されなくなってしまう。
【００６０】
ナビゲーションコマンドＮＣの中で、このように他のタイトルへの移動を指示するコマンドとしては、例えばＣＭＤ＿ＬＩＮＫ系、ＣＭＤ＿ＬＩＮＫＳＩＮＳ系、ＣＭＤ＿ＪＵＭＰ系のコマンドがある。
【００６１】
そこで、本発明のディスク再生装置１００では、本編サーチを利用した再生モードにおいて、本編タイトルのサーチから本編の再生が開始されるまでの間に上記したＣＭＤ＿ＬＩＮＫ系、ＣＭＤ＿ＬＩＮＫＳＩＮＳ系、ＣＭＤ＿ＪＵＭＰ系のナビゲーションコマンドＮＣを検出した場合は、該ナビゲーションコマンドＮＣによる処理は満たしたものとして指示を回避し、次のナビゲーションコマンドＮＣの指示に従って本編の再生を行うようにした点に特徴がある。
【００６２】
あるいは、本編サーチを利用した再生モードにおいて、本編の再生開始から再生終了の間に上記した本編以外のタイトルへの移動を指示するナビゲーションコマンドが検出された場合も同様に、該ナビゲーションコマンドＮＣによる処理は満たしたものとして指示を回避するようにしても良い。
【００６３】
上記したＣＭＤ＿ＬＩＮＫ系、ＣＭＤ＿ＬＩＮＫＳＩＮＳ系、ＣＭＤ＿ＪＵＭＰ系のナビゲーションコマンドＮＣの検出は、システムコントローラ（制御部）３０が行い、システムコントローラ３０は、その検出結果に従ってオーディオ・ビデオ処理部（再生処理部）２０を制御する。
【００６４】
これにより、本編サーチモードでの再生時は、図６の点線ｂ１で示す処理が回避され、支障なく確実に本編の再生が行われ、ユーザが意図しない他のタイトルに移動するのを防ぐことができる。尚、このような本編サーチを利用したモードでの再生は、あくまでもユーザの意思によって行われるため、通常の再生モードに戻せば、ディスクに記録されたファイル構造情報に基いて、予め指定された再生手順に従って再生することができる。
【００６５】
このように、本発明のディスク再生装置では、簡単な操作によって本編の再生が支障なく行われるため、例えば車載用に適したディスク再生装置を提供することができる。
【００６６】
尚、以上の説明に限定されることなく、特許請求の範囲を逸脱しない範囲内で種々の変形が可能である。
【図面の簡単な説明】
【００６７】
【図１】本発明のディスク再生装置の一実施形態を示す全体構成図。
【図２】同実施形態のディスクに記録されるＰＧＣのデータ構造を示す説明図。
【図３】同実施形態におけるディスクの再生シーケンスの一例を示す説明図。
【図４】同実施形態のディスクに記録されるデータの階層構造を説明する図。
【図５】同実施形態におけるセットアップ画面の一例を示す説明図。
【図６】同実施形態における本編サーチモードでの再生動作の一例を示す説明図。
【符号の説明】
【００６８】
１１…ディスク
１２…モータ
１３…光ピックアップ
１４…送りモータ
１５…サーボ制御部
１６…ＲＦアンプ
１７…デジタル信号処理部
１８，３１…ＲＡＭ
１９…ストリーム分離部
２０…オーディオ・ビデオ処理部
２７…ヒデオエンコーダ
２８…ディスプレイ装置
２９…操作部
３０…システムコントローラ
３００…本編サーチ部
【図１】
0004886625.tif 000002
【図２】
0004886625.tif 000003
【図３】
0004886625.tif 000004
【図４】
0004886625.tif 000005
【図５】
0004886625.tif 000006
【図６】
0004886625.tif 000007